(57)【要約】      （修正有）【課題】植物栽培において好適な設備を提供する。【解決手段】温室内に吊り下げ状態で設置される植物の栽培槽２１と、栽培槽２１が吊り下げられる棒体４０と、棒体４０に栽培槽２１を吊り下げる吊り部材と、棒体４０を支持する少なくとも２本の横梁５２と、を備える植物栽培設備であって、棒体４０は、横梁５２の延在方向に転がり可能であると共に、吊り下げ支持する栽培槽２１の重量に基づく鉛直下向きの荷重を受けて横梁５２側に押し付けられており、棒体４０は、棒体４０を回転させる回転動力の入力部４２を備えている植物栽培槽設備である。【選択図】図３
2019037201.tif 000002
【特許請求の範囲】
【請求項１】
温室内に吊り下げ状態で設置される植物の栽培槽と、当該栽培槽が吊り下げられる支持部材と、当該支持部材に前記栽培槽を吊り下げる吊り部材と、前記支持部材を支持する少なくとも２本の横梁と、を備える植物栽培設備であって、
前記支持部材は、前記横梁の延在方向に転がり可能であると共に、吊り下げ支持する前記栽培槽の重量に基づく鉛直下向きの荷重を受けて前記横梁側に押し付けられており、
前記支持部材は、当該棒体を回転させる回転動力の入力部を備えている、植物栽培槽設備。
【請求項２】
前記支持部材は棒体であり、
当該棒体に巻き付けられた巻き付け部材を、さらに備えており、
当該巻き付け部材は、張力を付与された状態で前記横梁に対して固定された状態に設置されており、
前記回転動力が入力された前記棒体は、前記巻き付け部材との間の摩擦力を受けつつ転がり移動する、請求項１に記載の植物栽培設備。
【請求項３】
前記棒体は、前記栽培槽の上方に配置されており、
前記吊り部材は、その上端部が前記棒体に係合されていると共にその下端部が前記栽培槽の外周部に係合されており、下端側から上端側に向けて斜め上方に延びている、請求項１又は請求項２に記載の植物栽培設備。
【請求項４】
前記吊り部材は、前記栽培槽を揺動可能に吊り下げ支持する、請求項１から請求項３のいずれか一項に記載の植物栽培設備。
【請求項５】
前記巻き付け体の前記棒体との巻き数はひと巻きである、請求項１から請求項４のいずれか一項に記載の植物栽培設備。
【請求項６】
前記吊り部材は、変形可能な素材で構成されており、
前記吊り部材の下端部の位置は、前記栽培槽の上端縁の位置よりも下方の位置であり、
前記吊り部材は、前記栽培槽の上端縁に隣接する位置から前記下端部までの区間のうちの前記上端縁寄りの半部区間の少なくとも一部の区間が前記栽培槽に接している吊り位置と、前記半分区間の全てが前記栽培槽から離間された作業位置とに移動可能である、請求項１から請求項５のいずれか一項に記載の植物栽培設備。
【請求項７】
前記吊り部材は、当該吊り部材の延在方向に交差する方向に延在する植物支持部材を固定する取付具を着脱自在に取付可能であり、
前記取付具は、前記吊り部材に対して移動可能な状態で取付可能である、請求項１から請求項６のいずれか一項に記載の植物栽培設備。
【請求項８】
前記取付具は、前記吊り部材に対して昇降移動可能であり、
当該取付具の前記栽培槽の幅方向の位置は、上昇移動するに連れて幅方向内側に移動する、請求項１から請求項６のいずれか一項に記載の植物栽培設備。
【発明の詳細な説明】
【技術分野】
【０００１】
本発明は、植物栽培設備に関し、特にハウス栽培で用いる植物栽培設備として好適な設備に関する。
【背景技術】
【０００２】
植物の栽培槽を吊り下げた状態で用いる栽培設備としては、植物が栽培される複数の可動ベッドが走行レールに沿って移動自在に設けられており、可動ベッドの間が作業通路となる植物栽培装置が提案されている（特許文献１参照）。
【先行技術文献】
【特許文献】
【０００３】
【特許文献１】特許第５８２８５４１号公報
【発明の概要】
【発明が解決しようとする課題】
【０００４】
ところで、上述した従来の装置では、栽培槽の上に配置された走行レールを用いているなど、栽培槽を吊り下げる構造の部分が植物栽培で用いる装置として必ずしも適していない。
【０００５】
例えば、植物栽培、特に農業として行われる植物栽培では、栽培植物に対する日々の手入れや作業が重要であり、日々の手入れや作業の作業性に優れた設備が好ましい。また、植物の栽培には数か月単位の比較的長い期間が必要であるところ、栽培期間中、設備の故障により予定の手入れや作業を行うことができなければ、収穫物の品質の低下につながる。また、植物栽培で用いる装置としては、日照を確保できる構造が好ましい。
本発明は、このような点に鑑みてなされたものであり、植物栽培において好適な設備を提供することを課題とする。
【課題を解決するための手段】
【０００６】
本発明は、温室内に吊り下げ状態で設置される植物の栽培槽と、当該栽培槽が吊り下げられる支持部材と、当該支持部材に前記栽培槽を吊り下げる吊り部材と、前記支持部材を支持する少なくとも２本の横梁と、を備える植物栽培設備であって、前記支持部材は、前記横梁の延在方向に転がり可能であると共に、吊り下げ支持する前記栽培槽の重量に基づく鉛直下向きの荷重を受けて前記横梁側に押し付けられており、前記支持部材は、当該棒体を回転させる回転動力の入力部を備えている、植物栽培槽設備である。
【０００７】
前記支持部材は棒体であり、当該棒体に巻き付けられた巻き付け部材を、さらに備えており、当該巻き付け部材は、張力を付与された状態で前記横梁に対して固定された状態に設置されており、前記回転動力が入力された前記棒体は、前記巻き付け部材との間の摩擦力を受けつつ転がり移動する。
【０００８】
そして、前記棒体は、前記栽培槽の上方に配置されており、前記吊り部材は、その上端部が前記棒体に係合されていると共にその下端部が前記栽培槽の外周部に係合されており、下端側から上端側に向けて斜め上方に延びている。
前記吊り部材は、前記栽培槽を揺動可能に吊り下げ支持する。
前記巻き付け体の前記棒体との巻き数はひと巻きである。
【０００９】
前記吊り部材は、変形可能な素材で構成されており、前記吊り部材の下端部の位置は、前記栽培槽の上端縁の位置よりも下方の位置であり、前記吊り部材は、前記栽培槽の上端縁に隣接する位置から前記下端部までの区間のうちの前記上端縁寄りの半部区間の少なくとも一部の区間が前記栽培槽に接している吊り位置と、前記半分区間の全てが前記栽培槽から離間された作業位置とに移動可能である。
また、前記吊り部材は、当該吊り部材の延在方向に交差する方向に延在する植物支持部材を固定する取付具を着脱自在に取付可能であり、前記取付具は、前記吊り部材に対して移動可能な状態で取付可能である。
そして前記取付具は、前記吊り部材に対して昇降移動可能であり、当該取付具の前記栽培槽の幅方向の位置は、上昇移動するに連れて幅方向内側に移動する。
【発明の効果】
【００１０】
本発明に係る植物栽培設備は、栽培植物の日々の手入れや作業における作業性に優れ、構造が明確であるので例えば日照をより確実に確保できしかも故障等の復旧が容易であるなど、植物栽培において好適な設備である。
【図面の簡単な説明】
【００１１】
【図１】本発明に係る実施形態の植物栽培設備において、栽培槽を均等間隔で配置した状態を示す正面図である。
【図２】本発明に係る実施形態の植物栽培設備において、栽培槽をビニールハウス内の中央エリアに集中配置した状態を示す正面図である。
【図３】図１に示される植物栽培設備を示す斜視図である。
【図４】図４（Ａ）は、図１に示される植物栽培設備において、横梁の上に載置された棒体の設置状態を示す拡大斜視図であり、図４（Ｂ）は、棒体に係合された線材の係合状態を示す拡大斜視図である。
【図５】吊り部材である線材に取り付けられた線材保持具を示す拡大斜視図である。
【図６】棒体への巻回数が複数回である巻付部材の状態を比較例として示した説明図である。
【図７】図７（Ａ）は、吊り部材である線材が栽培槽の上端縁に接する位置（吊り位置）に位置している状態を示す説明図であり、図７（Ｂ）は、線材が栽培槽の上端縁から離間した位置（作業位置）に位置している状態を示す説明図である。
【図８】図８（Ａ）は、吊り部材である線材に植物支持体を取り付けた状態を説明する説明図であり、図８（Ｂ）は、図８（Ａ）の一部を拡大した拡大説明図である。
【図９】図９（Ａ）は、吊り部材である線材に植物支持体が取り付けられた状態を示す正面説明図であり、図９（Ｂ）は、植物支持体で茎を支持して葉の日照を確保した状態を示す正面説明図であり、図９（Ｃ）は、植物支持体で茎を支持してイチゴの果実の日照を確保した状態を示す正面説明図である。
【図１０】図１０（Ａ）は、吊り部材である線材に拡幅棒及び植物支持体が取り付けられた状態を示す正面説明図であり、図１０（Ｂ）は、植物支持体で茎を支持して葉の日照を確保した状態を示す正面説明図であり、図１０（Ｃ）は、植物支持体で茎を支持してイチゴの果実の日照を確保した状態を示す正面説明図である。
【発明を実施するための形態】
【００１２】
次に、本発明に係る植物栽培設備の実施形態について説明する。
図１に示されるように、植物栽培設備１は、ビニールハウスHなどの温室内に設置されて用いられるものであり、植物の栽培槽21を吊り下げ状態で支持する構造になっている。
なお、ビニールハウス（温室）内における植物栽培では、露地栽培と異なり、栄養や水分を供給する設備が必要な場合があるが、これらの設備については、周知の設備を使用可能であるので、ここでは詳細な説明を省略する。
【００１３】
植物栽培設備１（以下、単に設備と称することがある）は、図１に示されるように、植物の栽培槽21を備える栽培ユニット10と、栽培ユニット10の吊り下げに用いられる吊り部材30と、吊り部材30を介して栽培槽21を吊り下げ支持する棒体40（図３参照）と、棒体40を支持する支持構造50（図３参照）とを備えている。
【００１４】
図３に示されるように、支持構造50は、設備１の設置位置に設置された複数の柱体51と、柱体51に支えられた複数の横梁52と、横梁52に対して直交する縦梁53とを備えている。
横梁52は、ビニールハウス内の空間の長手方向Z（横梁52の延在方向に直交する方向）に直交する幅方向X（長手方向に直交する短手方向）の向きに延在する状態で設置されている。また、縦梁53はビニールハウス内の空間の長手方向Zに延在する状態で設置されており、しかもビニールハウス内の空間の幅方向Xの外側の外側面Hsに隣接する位置に設置されている。
また、横梁52は棒体40を支持する部材であり、横梁52の上に複数の棒体40が設置されている。そして、各棒体40の下側に、対応する栽培ユニット10がそれぞれ吊り下げ支持されている。
【００１５】
栽培ユニット10は、栽培槽21が載置されるベンチ20（載置枠）と、ベンチ20に載置された栽培槽21とを備えている。ベンチ20は、棒体40の長手方向Zに沿って延在する状態に配置されており、その上に、棒体40の長手方向Zに延在する状態で栽培槽21が載置されている。
つまり、本実施形態では、各ビニールハウス内に、縦梁53の長手方向Zに延在する栽培ユニット10が４列設置された構造になっている（図３参照）。
【００１６】
吊り部材30は、栽培槽21が載置されたベンチ20を棒体40に吊り下げるための線材31（吊紐）を備えている。本実施形態では、線材31として針金が用いられている。吊り部材30としては、針金など変形可能な素材で構成された線材31（紐状の部材）を用いることができる。具体的には、各種素材で構成されたロープ、ワイヤ、針金などを挙げることができる。
【００１７】
線材31の上端部は棒体40に係合されており（図４（Ｂ）参照）、また線材31の下端部は栽培ユニット10のベンチ20に係合されており（図７（Ａ）参照）、栽培槽21は吊り部材30によって揺動可能に吊り下げ支持されている。なお、本実施形態では、線材31は、棒体40に外挿された後述の筒体41に係合されることで、棒体40に係合されている。
【００１８】
このように、棒体40は、ベンチ20及び栽培槽21を備える栽培ユニット10の上方に位置している。別言すれば、棒体40は、静止状態で吊り下げられた状態（静止吊り下げ状態）の栽培ユニット10の長手方向Zの中央位置10a（図７参照）の上方に位置している。また、栽培槽21を揺動させた状態（揺動吊り下げ状態）にすると、栽培槽21及び栽培槽21の中央位置（中央面）10aは、棒体40の長手方向Zに延びる中心線40c（図４（A)参照）に沿って広がる鉛直面の左右両側に揺動させることができる。
【００１９】
線材31は、図４（Ｂ）に示されるように、棒体40の上側を跨ぐように掛られており、しかも筒体41を跨ぐように掛けられている。そして、棒体40を跨いで下側に延びる一対の線材31のうち、一方の線材31a（図７（Ａ）参照）は、栽培ユニット10の一方の外側面（ベンチ20の一方の外側部）20aに係合され、他方の線材31は、栽培ユニット10の他方の外側面（ベンチの他方の外側部）20bに係合されている。より具体的に説明すると、図７（Ａ）に示されるように、栽培ユニット10に対する線材31の下端部31z,31zの係合位置は、栽培ユニット10の栽培槽21の上端縁21a,21bの位置よりも下方の位置である。
【００２０】
また、棒体40から下側に延びる一対の線材31a,31bは、棒体40と栽培槽21の上端縁21aとの間の区間において一対の線材31a,31bが交差するように掛けられている（図４（Ｂ）参照）。
吊り部材30の線材31を交差が生じるような掛け方にする場合、図５に示されるように、両線材31の交差状態を保持する線材保持具33（図５参照）を設置することがより好ましい。線材保持具33は、一対の線材31a,31bを保持する保持部を備えており、線材31に沿って上下方向Yにスライド可能である。
このように、線材保持具33としては、線材保持具33の取付位置を、線材31の延在方向に沿ってスライド可能に設置されているものが好ましい。線材31は変形可能であることから、線材保持具33をスライドさせると、スライドによって交差位置31x（図４（Ｂ）参照）を昇降させることが可能である。そして、線材保持具33としては、図５に示されるもののように、昇降移動（上下動）させた交差位置31xをその位置に保持することが可能なものが好ましい。
【００２１】
上述したように線材31は変形可能であり、線材31のうち栽培槽21の上端縁に隣接する部分31h,31h（以下、ホールド部と称することがある）は、図７（Ａ）に示されるように栽培槽21の上端縁21a,21bに隣接する状態の位置（以下、吊り位置と称することがある）と、図７（Ｂ）に示されるように栽培槽21から離間した状態の位置（以下、作業位置と称することがある）とに移動可能である。
線材31を作業位置に位置させる場合は、一対の線材31a,31bの間に挿入して両線材31a,31bを離間させる拡幅棒35を用いる。
線材31が吊り位置の状態は、栽培槽21を安定して吊り下げ支持する状態である。
他方、線材31が作業位置の状態は、栽培ユニット10（特に栽培槽21）に対する作業性に優れた吊り下げ状態である。つまり、栽培槽21及びベンチ20などの栽培ユニット10や栽培植物に対して、後述する作業（例えば、フィルム張り作業）を行う際、作業者は、線材31のホールド部31h,31hを作業位置に位置させることができる。
【００２２】
図８に示されるように、吊り位置に位置する線材31のうち、線材31の交差位置31x（図４（Ｂ）参照）から栽培槽21の上端縁21a,21bの間の区間P1（以下、上側区間と称することがある）の線材31は、斜め方向に延びている。つまり、上側区間P1の線材31は、下側から上側に向けて斜め上方に延びている。
別言すれば、線材31の上側区間P1は、栽培槽21の外側から栽培槽21の幅方向Xの中心側（内側）に向けて、斜め上方に延びている。
線材31の上側区間P1が、栽培槽21の外側面側から栽培槽21の幅方向Xの内側に向けて、斜め上方に延びるように配置されていると、次のような領域が確保される。
つまり、栽培槽21の上方であって且つ線材31の上方である上方作業領域S1（図７（Ａ）参照）が確保される。別言すれば、線材31の外側であって且つ栽培槽21の上方である外側作業領域S1が確保される。
【００２３】
また、線材31の上側区間は、植物栽培時の作業に利用可能な作業基礎構造（作業プラットホーム）として好適である。
つまり、この線材上側区間は、蔓の延伸を補助する部材としてそのまま利用できるだけでなく、葉、茎、蔓、花又は果実（収穫対象物）など栽培植物に対して行う種々の作業において利用できる。例えば、成長した葉、茎又は蔓を支える支持体を設置する際、その支持体を固定する基礎として線材31の上側区間を用いることができる。
【００２４】
棒体40は、図３に示されるように、横梁52の上に、着脱可能な状態且つ載置された状態で設置されている。棒体40の延在方向Zは、横梁52の延在方向Xに対して直交する水平方向である。
図４（Ａ）に示されるように、棒体40には、吊り下げられた栽培槽21の重量に起因する下向きの荷重Gが加わっており、その荷重Gによって横梁52に押し付けられた状態で、横梁52の上に載置されている。
また、棒体40は、横梁52の上を転がり可能な状態で、横梁52の上に設置されている。そして、棒体40は、棒体40に回転可能な状態で外挿された筒体41（図４（Ｂ）参照）と、棒体40の一端部に設置された動力入力部（入力部）42とを備えている。
【００２５】
棒体40には複数の筒体41が外挿されている。
筒体41は、硬質の合成樹脂製のパイプ（本実施例では塩化ビニルパイプ）であり、その表面（特に内周面）は滑りやすい面で構成されている。そして、筒体41には、上述したように、栽培槽21の吊下げ用の線材31が掛けられた状態で係合されている。なお、円滑性に優れたものとして、例えばベアリングを筒体として用いることが可能である。
【００２６】
動力入力部42は、棒体40の一端部に固定された円盤42aと、円盤42aに取り付けられた把持部42bとを備えている。作業者は、この把持部42bを把持して円盤42aを回転させることができ、回転させると、棒体40に回転動力が入力されて棒体40が回転する。
横梁52に押し付けられた状態で設置された棒体40と横梁52との間には摩擦力F1（静止摩擦力、運動擦力）が生じており、回転動力が入力されて回転した棒体40は、横梁52との間に転がり摩擦（運動摩擦）が生じる状態で、横梁52の延在方向に転がり移動する。
このように、棒体40は、栽培槽21を吊り下げ支持する部材であると共に、栽培槽21を移動方向Xに搬送する部材でもある。
【００２７】
植物栽培設備１は、さらに、棒体40に巻き付けられた巻き付け部材60（図１、図４（Ａ）参照）を備えている。本実施形態では、複数本の巻付部材60が設置されている。巻付部材60は鋼製のワイヤの外側に軟質の合成樹脂材（軟質の塩化ビニルやポリエチレン）で被覆されたものである。
【００２８】
各巻付部材60は、棒体40の延在方向Zに直交する方向に延在させた状態で縦梁53に固定されている。つまり、各巻付部材60は、横梁52に対して固定されている。
そして、巻付部材60は、張力T（図４（Ａ）参照）を付与された状態で縦梁53に固定されている。したがって、巻付部材60としては、長手方向Xの張力Tを付加することが可能なものが好ましい。
【００２９】
各巻付部材60は、横梁52の上に設置された全て（本実施形態では４本）の棒体40に巻き付けられている。
巻付部材60としては、その外周面（棒体40との接触面）が滑りにくい素材で構成されているものが好ましい。特に、巻付部材60の長手方向Xの向きの動きに対して滑りにくいもの（摩擦係数が高いもの）が好ましい。
【００３０】
そして、各巻付部材60は、図４（Ａ）に示されるように、棒体40の外周面と接している区間60p（以下、巻回区間と称することがある）の両端の位置が棒体40の下側に位置するように、棒体40に巻き付けられている。巻付部材60の棒体40に対する巻き数は「１（ひと巻き）」である。
【００３１】
巻付部材60と棒体40との間には摩擦力F2（静止摩擦力）が生じている。
回転動力が入力されて回転する棒体40は、巻付部材60との間の静止摩擦力F1を受けつつ、横梁52の延在方向Xに転がり移動する。
したがって、本実施形態の植物栽培設備１では、動力入力部から棒体40に回転動力を入力して横梁52の上を転がり移動させると、転がり移動する棒体40は、巻付部材60に対して滑ることなく回転し、棒体全体が横梁52の延在方向X（棒体40の長手方向Zに直交する方向）に転がり移動する。
また、本実施形態の植物栽培設備１では、動力入力部が設けられている棒体40の一端部40aとは反対の他端部40bに、他端側の巻付部材60が巻き付けられており、この他端側の巻付部材60と動力入力部42との間に間隔をおいて（ほぼ均等な間隔で）複数の巻付部材60が巻き付けられている。巻付部材60をこのように配置すると、棒体40の一端部40aの動力入力部42から入力された回転動力が棒体40の他端側40bまで効率良く伝達され、横梁52に対して直交する方向Z延在する状態で設置された棒体40が転がり移動に従って傾いた状態になることがより確実に抑制される。
【００３２】
また、図８に示されるように、植物栽培設備１は、線材31（特に、上側区間P1）に着脱自在に取付けられる取付具37を備えている。
取付具37は、後述の植物支持体70の取付に用いられるものであり、線材31に係合される凹部37aと、植物支持体70を線材31に固定する固定部37bとを備えた構造である。
そして、この取付具37は、線材31に対して着脱可能であり、線材31の延在方向に沿ってスライド移動可能（昇降移動可能）である。したがって、線材31の上側区間P1に取り付けられた取付具37は、これを栽培槽21に近接する下側から棒体40に近接する上側に向けて移動させると、栽培槽21の幅方向Xの内側に移動する。
植物支持体70は、栽培槽21の長手方向Zであって線材31に対して直交する方向に延在する紐状の部材である。
なお、取付具37は、植物支持体70を取り付ける状態のとき線材31に固定される構造でも良いし、植物支持体70を取り付けた状態であると否とにかかわらず線材31に固定できる構造でも良い。
【００３３】
次に、本実施形態の植物栽培設備１の動作や使用状態について説明する。
【００３４】
本実施形態の植物栽培設備１は、種々の植物の栽培に使用可能な設備であるが、ここでは、イチゴの栽培を具体例として、設備の動作及び使用状態を説明する。
植物栽培では様々な作業が行われるが、ここでは、定植、葉面散布、フィルム（マルチ等）張り、防除、整備、収穫といった作業における植物栽培設備１の動作や使用状態を説明する。
なお、図３は、栽培ユニットの栽培槽のポット穴21hにポット苗（不図示）を設置していない状態を示している斜視図である。
そして、図１及び図２は、設置されたポット苗が少し成長した状態を示す正面図である。
【００３５】
定植作業では、ポット苗（苗が収容されたポット、不図示）を栽培槽21の設置位置まで運んで設置する。したがって、定植作業では、並列配置された複数の栽培ユニット10の間に、ポット苗を運ぶ通路W（間隔）を確保する必要がある（図３参照）。
通路Wを確保のために栽培ユニット10を移動する場合、動力入力部42を用いて回転動力を棒体40に入力する。すると、栽培槽21の重量に起因する鉛直下向きの荷重Gを受けている棒体40は、横梁52との間の摩擦力F1（棒体40が転がり移動する向きの摩擦力F1）を受けつつ、横梁52の上を転がり移動する。
また、回転動力が入力されて回転する棒体40は、巻付部材60との間の摩擦力F2 を受けつつ巻付部材60に対して滑らない状態で、横梁52の延在方向Xに転がり移動する。
巻付部材60に対して滑ることなく棒体40を回転させることができれば、棒体40の横梁52に対して傾くような不具合の発生を抑制しつつ棒体40を転がり移動させることができる。本実施形態のように、複数の巻付部材60を間隔をおいて設置した構成であると、棒体40の全体に所定の間隔で、巻付部材60に対して滑らない状態で回転する位置を確保することができ、棒体40の横梁52に対する向き（直交する向き）の変化をより確実に抑制した状態で棒体40を移動させることができる。
【００３６】
このように、植物栽培設備１では、栽培ユニット10を横梁52の延在方向Xに容易に移動させることができるので、定植作業をはじめとして上述したような各種の作業を行う際、事前に、複数列の栽培ユニット10の配置状態をその作業に好適な状態に容易に移動することができる。また、栽培槽21は、棒体40に揺動可能な状態で吊り下げられており、移動時に植物（特に果実等の収穫対象物）に与える衝撃等は最小限に抑制される。
【００３７】
定植後の葉面散布作業では、苗に対して液肥を散布する。定植直後の苗は、丈が低い状態でしかも繁茂面積も小さい状態であるので、液肥を効率よく散布するためには、ある程度苗に近づいた状態で、上側から散布することが好ましい。
ところが、栽培槽21を吊り下げ支持している場合、散布ノズル（不図示）を苗に多少近づけた状態を維持しつつ液肥を散布しようとしても、吊り下げ構造の位置では一旦、散布ノズルを苗から当座ける必要がある。
この点、栽培槽21を吊り支持している線材31が傾斜しており、上方作業領域S1（図７（Ａ）参照）が確保されていれば、苗の上側から液肥を散布する作業を栽培槽21の長手方向Zに移動しつつ連続して行うとき、その作業が、栽培槽21を吊り支持している線材31によって妨げられることが最小限に抑制されるので、作業性に優れている。
【００３８】
また、変形可能な吊り部材30（線材31）で栽培槽21を吊り支持している本実施形態の設備１においては、線材保持具33（図５参照）を線材31に沿って下方移動させると、上方作業領域S1が広がる。なお、定植直後の苗は丈が低いので、内側に傾斜している線材31の傾斜角度α（図７（Ａ）参照）を小さくしても、線材31が苗に接触することがない。
上方作業領域S1を拡大できれば、定植後の葉面散布作業において、苗に適宜近づけた状態の散布ノズルを栽培槽21の長手方向Zに移動させ、連続して葉面散布作業を行うとき、線材31によってその作業が妨げられることがさらに確実に抑制され、作業性がさらに向上する。
【００３９】
フィルム張り作業としては、典型的な作業として、栽培槽21の土壌面をビニールやポリエチレンなどのフィルムM（マルチ資材、図７（Ｂ）参照）で覆う「マルチ」と称される作業を挙げることができる。この作業では、栽培槽21を上側から確実に覆う必要がある。
この点、本実施形態の設備１では、図７（Ｂ）に示されるように、変形可能な線材31の位置を拡幅棒35を用いて作業位置に移動させることができ、線材31の間隔を拡幅し、栽培槽21の上側に、フィルム張り作業の作業性に優れる作業空間を確保することができる。つまり、本実施形態の設備１の吊り下げ構造は、フィルム張り作業の作業性に優れている。
なお、拡幅棒35を設置する場合、できるだけ広い作業空間を確保するためには、事前に線材保持具33（図５参照）が上方位置であることを確認することが好ましく、必要に応じて線材保持具33を上方位置に移動させることが好ましい。
【００４０】
フィルム張り作業において、栽培槽21の上側をマルチ資材Mで覆う作業を行った後、拡幅棒35を取外すと、線材31の位置が元の吊り位置に戻る（図７（Ａ）参照）。元の吊り位置に戻った線材31は、栽培槽21（栽培ユニット10）との協働により、栽培槽21に張られたマルチ資材Mの周縁部を挟んで保持する。このように、本実施形態の設備１は、線材31を元の吊り位置に戻すだけでマルチ資材Mを栽培槽21に対して固定することができるものであり、フィルム張り作業の作業性に優れている。
【００４１】
また、栽培している植物の成育には日照が不可欠である。一般的に、ビニールハウス内では、中央部の中央エリアほど日照条件が良い。したがって、植物育成のためには、全ての栽培ユニット10をできるだけビニールハウス内の中央エリアに移動させることが好ましい（図２参照）。本実施形態の設備１では、上述したように、動力入力部から棒体40に回転動力を入力し、棒体40を転がり移動させて、栽培槽21を中央エリアに移動させることができる。
なお、栽培植物の葉が重なって、上の葉が下の葉の日照を遮ると、栽培植物全体の日照効率が低下する。したがって、全ての栽培ユニット10をビニールハウスの中央エリアに移動させる場合、栽培植物が成長して葉が繁茂するに連れ、隣り同士の栽培槽列の植物の葉が重なり過ぎないように、栽培ユニット10の間隔W（図１参照）を徐々に広げることが好ましい。
【００４２】
ただし、栽培ユニット10の間隔Wを広げると、ビニールハウス内の最も外側に配置された栽培ユニット10は、ビニールハウスの外側面Hs（ビニールハウスの長手方向に延びる外側面）に近づくこととなり、ビニールハウスの外側面Hsに隣接する外周エリアHaに配置されることになる。
この外周エリアHaは、日照の確保が難しい領域である。そして、図１に示されるように、複数のビニールハウスHを並列配置した場合、隣りのビニールハウスHに隣接している外側エリアHaは、ビニールハウスHの谷Vの影響を受けるので、さらに日照確保が難しい。
ところで、栽培槽21を吊り下げ支持する構造の場合、栽培槽21の上側に、吊り下げ構造が配置される。そして、栽培槽21の上側に配置された吊り下げ構造は日照を遮る可能性がある。したがって、ビニールハウスHの谷Vの影響を受ける外側エリアに配置された栽培ユニット10の栽培槽21では、ビニールハウス側方からの日照の確保が難しい上に、栽培槽21の上側の吊り下げ構造によっても遮光される可能性があり、日照効率が著しく低下するおそれがある。
この点、本実施形態の植物栽培設備１の吊り構造は、吊り部材30と棒体40で構成されたものであるところ、日照を遮る構成が最小限であるので、ビニールハウスHの谷Vに近い位置に配置された栽培ユニット10の栽培植物についても、日照が確保される。
【００４３】
防除作業としては、例えば農薬散布作業がある。本実施形態の植物栽培設備１では、事前に、全ての栽培ユニット10をできるだけビニールハウス内の中央エリアに移動させた後、散布作業を行うことができる（図１参照）。全ての栽培ユニット10を可能な限り密集させた状態で散布作業を行うと、散布効率が向上し、一回の散布作業における散布物質の散布量が削減される。
ところで、全ての栽培ユニット10をビニールハウス内の中央エリアに移動させるなど、栽培ユニット10を密集させた状態にすると、各栽培ユニット10の吊り支持構造物同士が接近する。そして、接近した吊り支持構造が全体として、散布作業の障害物になってしまうと、かえって散布効率が低下したり、散布ムラが生じたりするおそれがある。
この点、本実施形態の植物栽培設備１の吊り構造は、吊り部材30と棒体40とで構成されたものであるところ、散布作業の障害物になることがないので、ビニールハウス内の中央エリアに移動された全ての栽培ユニット10の栽培植物に対してムラ無く均等に散布することができる。
【００４４】
整備作業としては、例えば、植物支持体70の取付作業がある（図９参照）。
植物支持体70としては、例えば、図８に示されるように、栽培ユニット10の長手方向Zに延在させた状態で設置される紐状の植物支持体70を挙げることができる。
この植物支持体70は、線材31に取り付けられた取付具37と線材31とで挟まれた状態で、着脱自在に取付けられる。
取り付けられた植物支持体70は、例えば、図９（Ｂ）や（Ｃ）に示されるように、成長した植物の茎や葉を支持するものとして使用可能である。
植物支持体70を用いることで、例えば、栽培槽21の幅方向外側に広がるように繁茂した葉や茎を、栽培槽21の上方に広がる状態にすることが可能である。
【００４５】
また、取付具37の位置を線材31に沿って昇降させることで（図９（Ａ）参照）、植物支持体70の設置位置を昇降させることができるので、植物の繁茂の状態に応じて、植物支持体70の設置位置（高さ位置及び栽培槽の幅方向の位置）を適宜変更することができる。
このようにして葉や茎が外側に繁茂していた状態が解消されれば、例えば、ビニールハウス内の中央エリアに全ての栽培ユニット10を移動させるとき、全ての栽培ユニット10をより密集した状態なるように移動させることができる。
また、植物支持体70によって、葉の向きを上向きにするなど、葉の向きを修正して日照効率を向上させることができる。
さらに、葉を上方に持ち上げるなど、葉の位置を変更すると、例えば、葉に隠れていたいイチゴの果実STが日光に晒され、果実への日照が確保される（図９（Ｃ）参照）。
【００４６】
ところで、本実施形態の植物栽培設備１では、吊り部材である線材31は、図９（Ａ）に示されるように、上方に向けて栽培槽21の幅方向Xの内側になるように傾斜した状態で設置されている。したがって、植物支持体70の取付具37を線材31に沿って上方に移動させると、植物支持体70は、上方に移動しつつ栽培槽21の幅方向Xの内側に移動する。従って、植物支持体70を上方に移動させることで、この植物支持体70に支持された植物の葉や茎を、容易、迅速且つ確実に栽培槽21の幅方向Xの上方内側にも移動させることができる。
葉や茎を、上方且つ内側に容易迅速かつ確実に移動させることができれば、栽培槽21の幅方向Xに繁茂した葉や茎を栽培槽21の上方に移動させたり、葉の向きを上向きに修正したり、葉に隠れていたいイチゴの果実STを日光に晒したりする際、これらの作業を効率よく行うことができる。
【００４７】
また、図９では植物の繁茂前や剪定等による葉の間引き後など葉が比較的繁茂していない状態について説明したが、図１０では葉が繁茂した状態について説明する。
なお、図９及び図１０では、葉が繁茂していない状態が示されているが、設備の構造をわかりやすく説明するための便宜的なものである。
【００４８】
図１０に示されるように、植物が繁茂した状態において拡幅棒35を設置することがある。拡幅棒35を設置すると、吊り部材である線材31は、図１０（Ａ）に示されるように、上方に向けて栽培槽21の幅方向Xの外側になるように傾斜した状態になる。したがって、拡幅棒35よりも鉛直方向の下側に設置された植物支持体70の取付具37を線材31に沿って上方に移動させると、植物支持体70は、上方に移動しつつ栽培槽21の幅方向Xの外側に移動する。従って、植物支持体70を上方外側に移動させることで、この植物支持体70に支持された植物の葉や茎を、容易、迅速且つ確実に栽培槽21の幅方向Xの上方に移動させることができる。
葉や茎は繁茂するに連れて大きくそして長くなるので、吊り部材である線材31を幅方向Xの内外に傾斜させることができれば、繁茂状態に応じて線材の傾斜状態を変更することができ、葉に対する日照やイチゴの果実STに対する日照に関する作業などの整備作業を効率よく行うことができる。
【００４９】
なお、線材31は、フィルム張り作業において張られたフィルムM（図７（Ｂ）参照）を栽培槽21に対して固定する機能を有するものであるが、植物が繁茂した状態になると、張られたフィルムMが脱落したり位置ずれしたりすることはないので、拡幅棒35を設置した状態で植物栽培を行うことができる。
また、拡幅棒35は、線材31a,31bの間に設置されるものであり、しかも、拡幅棒35の一端部を一方の線材31aに当接させると共に他端部を他方の線材31bに当接させた状態になるように設置され、線材31が上方に向けて幅方向Xの外側に傾斜する状態になるように設置されるものであるが、拡幅棒35の設置の向きは水平がより好ましい。
また、拡幅棒35は、着脱自在であるとともに、設置された状態で上下方向（鉛直方向）に移動可能である。したがって、拡幅棒を昇降させることにより、線材31の傾斜角度を調整することができる。また、拡幅棒の長さは適宜選択可能である。したがって、各種の長さの拡幅棒を用意しておいてもよい。各種の長さの拡幅棒があれば、設置する拡幅棒の長さを変更することによっても、線材31の傾斜角度を調整することができる。
【００５０】
収穫作業では、収穫したイチゴの果実STの収穫用の籠を載せた台車（不図示）を、栽培槽列に沿って移動させつつイチゴの果実STを収穫する。したがって、栽培作業を行う場合は、各栽培ユニット10横梁52の長手方向Xに適宜移動させて、栽培ユニット10の間に収穫作業者及び台車の移動用の通路（間隔）Wを確保する。
【００５１】
また、本実施形態の植物栽培設備１は、解り易い構造であり、特に吊り下げ構造が解り易い構造であるので、設備を設置する作業や設置された設備のメインテナンス作業が容易である。従って、設備に故障が生じた場合でも、迅速な復旧が可能であり、設備不良に起因する栽培植物への悪影響は最小限に抑制される。
例えば、棒体40は、梁の上に着脱可能に載置されているので、設備１に対して棒体40を加除する作業が容易である。上述したように、棒体40は、栽培槽21の吊り下げ手段であると共に栽培槽21の移動手段でもあるので、棒体40を着脱するだけで、栽培槽21の吊り下げ手段および移動手段を着脱することができ、作業性に優れている。
【００５２】
なお、本発明は、上述した植物栽培設備に限られない。本発明の趣旨を逸脱しない範囲で改変された設備は、本発明の技術的範囲に属する。
【００５３】
例えば、巻付部材60を設置しない構成であっても、棒体40を転がり移動させることが可能な場合がある。ただし、棒体40の一か所から回転動力を入力する場合、棒体40の長さが長くなるほど、棒体全体を転がり移動させることが難しくなる。また、棒体全体を転がり移動できたとしても、横梁52に対する棒体40の向きが変化する（傾く）ことがある。この点、本実施例のように、巻付部材60を設置すれば、回転動力の入力部42が一か所であっても、棒体全体を転がり移動させることができ、棒体40の向きの変化が最小限に抑制される。
【００５４】
また、巻付部材60は、張力を付与することが可能なものが好ましく、外周面が滑りにくいものが好ましい。つまり、巻付部材60としては、巻付部材60と棒体40との間の滑りがない状態（静止摩擦力が発生した状態）で棒体40を回転させることが可能な張力を付与することができるものが好ましい。この点で、例えば、鋼製のワイヤや炭素繊維製のワイヤなどを用いた巻付部材60を挙げることができる。
そして、滑りがない状態にするためには、巻付部材60としては、その外周面が滑りにくいもの（摩擦係数が大きいもの）が好ましい。この点で、例えば、摩擦係数の高い合成樹脂やゴムなどを挙げることができる。
さらに、棒体40について、少なくとも、巻付部材60が巻き付けられる巻き付け位置については、その外周面が滑りにくいもの（摩擦係数が大きいもの）が好ましく、横梁52との接触位置についても、棒体の外周面は滑りにくいものが好ましい。
なお、上述した巻付部材60は、鋼製のワイヤの外側が軟質の合成樹脂で被覆されたものである。このような構成の巻付部材60においては、外周部（外周面）の樹脂層が中心部のワイヤに対して滑りにくい構成のものが好ましく、中心部のワイヤと外周部の樹脂層が一体であるものが好ましい。
【００５５】
また、上述の実施形態では、各巻付部材60は設置された全ての棒体40に巻き付けられている（図３参照）。つまり、各巻付部材60について、巻き付け箇所の数は、設置された棒体40の数と同数である。
ただし、巻付部材60の巻き付け状態については、上述の実施形態に限られない。つまり、各巻付部材60を棒体40に巻き付ける巻き付け箇所の数は、上述の実施形態のように複数でもよいし、１つでもよい。
なお、上述の実施形態のように１つの巻付部材60を複数の棒体40に巻き付ける場合と、１つの巻付部材60の巻き付け箇所の数を１つにする場合（１本の棒体40にのみ巻き付ける場合）とを比較すると、各棒体40に巻き付けられる巻付部材60の数を同じにするのであれば、後者の場合の方が多数の巻付部材60を設置する必要がある。つまり、前者の場合、巻付部材60の本数を少なくすることができ、設備の構成を簡素化できる。他方、後者の場合、各棒体40について専用の巻付部材60が設置されることとなり、巻付部材60との棒体40との間の摩擦力の大きさをより安定させることができる。
【００５６】
また、巻付部材60を棒体40に巻き付けた各巻き付け箇所における巻数（巻回数）は、少ない方が好ましい。つまり、巻数は「３」以下が好ましく、「１」がより好ましい。
図６に示されるように、各巻き付け箇所における巻数が多いと、各巻き付け箇所に巻き付いた巻付部材60の巻回区間60pの両端の位置61,62が離れる（棒体40の延在方向Zに離れる）ことになり、棒体から横梁52の延在方向Xの両側に延びる巻付部材60と棒体40のなす角β1,β2の両方の角度を直角（又は直角に近い角度）に維持することが難しくなる。また、各巻き付け箇所における巻数が多いと、棒体40が転がり移動したときにその棒体40に新たに巻き付く部分が既に巻き付いている巻付部材60の上に重なって巻き付く（巻き付き状態が積層状態になる）おそれがある。
これらの場合、棒体40が転がり移動すると、巻付部材60に付与されている張力Tの大きさが変化し、巻付部材60と棒体40との間の摩擦力F2に変化が生じるおそれがある。巻付部材60と棒体40との間の摩擦力F2が変化すると、棒体40を回転させたときに、棒体40と巻付部材60との間で滑りが生じ、棒体40を所望の転がり移動状態に移動できない場合が生じるおそれがある。
この点、巻き数が最小限であれば、巻付部材60と棒体40のなす角β1,β2の両方の角度を直角（又は直角に近い角度）に維持することが容易であり、しかも巻付部材60が積層された状態で巻付くような不具合が発生することが防止される。
【００５７】
また、巻付部材60は、横梁52の延在方向Xに延在する状態で、横梁52に隣接する位置に設置されていることが好ましい。横梁52に隣接する位置としては、横梁52よりも動力入力部42に近い位置と、遠い位置とがある。棒体40に設置されている動力入力部が１つの場合、巻付部材60の設置位置は、横梁52に近い位置であって、且つ横梁52よりも動力入力部42に近い側であることがより好ましい。
【００５８】
また、線材31のホールド部31h,31hは、吊り位置に位置する時（図７（Ａ）参照）、栽培槽21の上端縁21a,21bに接触する状態になることがより好ましい。吊り支持の安定性が向上し、フィルムなどのマルチ資材Mの保持機能が向上する。
【００５９】
また、吊り位置に位置する線材31は、栽培槽21の上端縁21a,21bに隣接する位置から栽培ユニット10に係合された下端部までの下側区間P2（図７（Ａ）参照）のうち、上端縁寄りの上側半分区間P3の少なくとも一部の区間が栽培槽21（栽培ユニット10）に接している状態がより好ましく、上側半分区間の全てが栽培槽21（栽培ユニット10）の外側面に接している状態が好ましい。
また、作業位置に位置する線材31（図７（Ｂ）参照）は、上述したホールド部31h,31hが栽培槽21（栽培ユニット10）の外側面の上端縁21a,21bから離間している状態が好ましく、上側半分区間P3の少なくとも一部の区間が栽培槽21（栽培ユニット10）から離間している状態がより好ましく、上側半分区間の全てが栽培槽21（栽培ユニット10）から離間している状態が好ましい。
【００６０】
また、動力入力部42の位置は、上述の実施形態においては、図３に示されるように棒体40の一端部40aであるが、棒体40の他端部40bや棒体40の中間部であってもよく、これらの位置の複数個所（例えば両端位置）に動力入力部が設けられた構造でも良い。動力入力部としては、作業者によって手動で回転動力を入力する構成と、電力等により駆動される駆動源を用いて入力する構成のいずれも採用可能である。
【符号の説明】
【００６１】
１…植物栽培設備、10…栽培ユニット、10a…中央位置、
20…ベンチ20（載置枠）、21…栽培槽、
20a,20b…ベンチの外側面（栽培ユニットの外側面）、
21a,21b…栽培槽の上端縁、21h…ポット穴、
30…吊り部材、31,31a,31b…線材(吊紐)、
31h,31h…栽培槽の上端縁に隣接する部分（ホールド部）、31x…交差位置、
31z,31z…線材の下端部、33…線材保持具、35…拡幅棒、
37…取付具、37a…凹部、37b…固定部、
40…棒体（支持部材）、40a…棒体の一端部、40b…棒体の他端部、40c…中心線、
41…筒体、42…動力入力部（入力部）、42a…円盤、42b…把持部、
50…支持構造、51…柱体、52…横梁、53…縦梁、
60…巻付部材、60p…棒体の外周面と接している区間（巻回区間）、
61,62…巻回区間の端部位置、70…植物支持体、
F1…棒体と横梁との間の摩擦力（静止摩擦力、運動擦力）
F2…巻付部材と棒体との間には摩擦力（静止摩擦力）
G…荷重、H…ビニールハウス、Ha…外周エリア、Hs…外側面、
M…フィルム（マルチ資材）、
P1…線材の上側区間、P2…下側区間、P3…上側半分区間、
S1…上方作業領域、ST…イチゴの果実、T…張力、V…ビニールハウスの谷、
W…通路（間隔）、X…横梁の長手方向（栽培槽の幅方向、棒体の移動方向）、
Y…上下方向、Z…棒体の長手方向（栽培ユニットの長手方向）、
α…線材の傾斜角度、β1,β2…巻付部材と棒体とのなす角
【図１】
2019037201.tif 000003
【図２】
2019037201.tif 000004
【図３】
2019037201.tif 000005
【図４】
2019037201.tif 000006
【図５】
2019037201.tif 000007
【図６】
2019037201.tif 000008
【図７】
2019037201.tif 000009
【図８】
2019037201.tif 000010
【図９】
2019037201.tif 000011
【図１０】
2019037201.tif 000012